(57)【要約】【課題】  画像投射装置の大きさに制限されることなく小型化できるプロジェクタを提供する。【解決手段】プロジェクタ１は、光源装置４１、光源装置４１から射出された光束を画像情報に応じて変調する光変調装置、および光変調装置によって変調された光束を拡大投射する投射レンズ４６を含む光学ユニット４と、光学ユニット４を収納配置する外装筺体２とを備える。光学ユニット４は、光源装置４１、光変調装置、および投射レンズ４６が一端側から他端側に向って順次配置される略Ｌ字形状を有する。外装筺体２は、平面視矩形形状を有する。光学ユニット４は、外装筺体２内において、外装筺体２の背面部２１Ｄ，２２Ｄから光源装置４１が離間する方向に、光学ユニット４における略Ｌ字形状の光源装置４１側の延出部分４Ａが背面部２１Ｄ，２２Ｄに対して傾斜して配置されている。【選択図】 図７
2007047661.tif 000002
【特許請求の範囲】
【請求項１】
光源装置、前記光源装置から射出された光束を画像情報に応じて変調する光変調装置、および前記光変調装置によって変調された光束を拡大投射する投射光学装置を含む画像投射装置と、前記画像投射装置を収納配置する外装筺体とを備えるプロジェクタであって、
前記画像投射装置は、前記光源装置、前記光変調装置、および前記投射光学装置が一端側から他端側に向って順次配置される略Ｌ字形状を有し、
前記外装筺体は、平面視矩形形状を有し、
前記画像投射装置は、前記外装筺体内において、前記外装筺体における平面視矩形形状の背面側の側端縁から前記光源装置が離間する方向に、前記画像投射装置における略Ｌ字形状の前記光源装置側の延出部分が前記背面側の側端縁に対して傾斜して配置されていることを特徴とするプロジェクタ。
【請求項２】
請求項１に記載のプロジェクタにおいて、
前記光源装置側の延出部分は、前記背面側の側端縁と前記外装筺体における平面視矩形形状の対角線とのなす角度の範囲内で前記背面側の側端縁に対して傾斜していることを特徴とするプロジェクタ。
【請求項３】
請求項１または請求項２に記載のプロジェクタにおいて、
前記画像投射装置における略Ｌ字形状のＬ字内側部分に配設され、前記外装筺体外部の空気を内部に導入して前記光変調装置に送風する光変調装置冷却部と、
前記光源装置側の延出部分と前記背面側の側端縁との間で前記光源装置近傍に配設され、当該プロジェクタの各構成部材に電力を供給する電源装置と、
前記光源装置側の延出部分と前記背面側の側端縁との間で前記光源装置から離間した位置に配設され、前記電源装置に向けて冷却空気を送風する電源装置冷却部と、
前記光源装置と前記外装筺体における平面視矩形形状の前面側の側端縁との間に配設され、前記電源装置を介して前記光源装置近傍に向けて流通した空気を前記光源装置を介して吸入して前記外装筐体外部に排出する冷却空気排出部とを備えていることを特徴とするプロジェクタ。
【請求項４】
請求項１から請求項３のいずれかに記載のプロジェクタにおいて、
当該プロジェクタ外部から前記画像情報を入力する入力信号端子と、前記入力信号端子と電気的に接続され前記光変調装置を駆動制御する制御基板とを備え、
前記制御基板は、前記外装筺体内において、前記投射光学装置の配設位置に対して対角位置にある角隅部分から前記光変調装置の配設位置まで延出するように形成され、
前記入力信号端子は、前記角隅部分に設けられていることを特徴とするプロジェクタ。
【発明の詳細な説明】
【技術分野】
【０００１】
本発明は、プロジェクタに関する。
【背景技術】
【０００２】
従来、光源装置、光源装置から射出された光束を画像情報に応じて変調する光変調装置、および光変調装置によって変調された光束を拡大投射する投射光学装置（投射レンズ）を含む画像投射装置（光学ユニット）と、画像投射装置を収納配置する略直方体状の外装筺体（外装ケース）とを備えるプロジェクタが知られている（例えば、特許文献１参照）。
特許文献１に記載のプロジェクタでは、画像投射装置は、光源装置、光変調装置、および投射光学装置が一端側から他端側に向って順次配置される略Ｌ字形状を有している。
そして、画像投射装置は、外装筺体内において、略Ｌ字形状の光源装置側の延出部分が外装筺体の背面に沿って左右方向に延び、略Ｌ字形状の投射光学装置側の延出部分が外装筺体の側面に沿って前方に延びるように配置されている。
【０００３】
【特許文献１】特開２００５−７０５１７号公報（図５）
【発明の開示】
【発明が解決しようとする課題】
【０００４】
しかしながら、特許文献１に記載のプロジェクタでは、画像投射装置が上述したように外装筺体内に配置されているため、画像投射装置の大きさ、すなわち、光源装置側の延出部分の長さ、および投射光学装置側の延出部分の長さに応じて、外装筺体における平面視矩形形状の左右方向の長さ、および前後方向の長さを設定しなければならない。したがって、外装筺体の大きさが画像投射装置の大きさによって制限され、プロジェクタを小型化することが難しい。
【０００５】
本発明の目的は、画像投射装置に制限されることなく小型化できるプロジェクタを提供することにある。
【課題を解決するための手段】
【０００６】
本発明のプロジェクタは、光源装置、前記光源装置から射出された光束を画像情報に応じて変調する光変調装置、および前記光変調装置によって変調された光束を拡大投射する投射光学装置を含む画像投射装置と、前記画像投射装置を収納配置する外装筺体とを備えるプロジェクタであって、前記画像投射装置は、前記光源装置、前記光変調装置、および前記投射光学装置が一端側から他端側に向って順次配置される略Ｌ字形状を有し、前記外装筺体は、平面視矩形形状を有し、前記画像投射装置は、前記外装筺体内において、前記外装筺体における平面視矩形形状の背面側の側端縁から前記光源装置が離間する方向に、前記画像投射装置における略Ｌ字形状の前記光源装置側の延出部分が前記背面側の側端縁に対して傾斜して配置されていることを特徴とする。
ここで、背面側とは、投射光学装置による投射方向側（前面側）の反対側を意味するものである。
【０００７】
本発明では、画像投射装置は、光源装置が外装筐体における背面側の側端縁（左右方向に延びる側端縁）から離間する方向に、光源装置側の延出部分が背面側の側端縁に対して傾斜している。言い換えれば、画像投射装置は、投射光学装置が外装筺体における前記背面側の側端縁に交差する側端縁（前後方向に延びる側端縁）に近接する方向に、投射光学装置側の延出部分が前記側端縁に対して傾斜している。このことにより、外装筺体における平面視矩形形状の前後方向の長さ寸法や左右方向の長さ寸法を、画像投射装置における投射光学装置側の延出部分の長さ寸法や光源装置側の延出部分の長さ寸法ではなく、光源装置側の延出部分と背面側の側端縁とのなす角度をθとした場合に投射光学装置側の延出部分の長さ寸法や光源装置側の延出部分の長さ寸法の角度θの正弦値、余弦値に応じて設定することができる。例えば、外装筺体における平面視矩形形状の前後方向の長さ寸法を、画像投射装置における投射光学装置側の延出部分の長さ寸法ではなく、投射光学装置側の延出部分の長さ寸法の角度θの余弦値に応じて設定することが可能となる。また、例えば、外装筺体における平面視矩形形状の左右方向の長さ寸法を、画像投射装置における光源装置側の延出部分の長さ寸法ではなく、光源装置側の延出部分の長さ寸法の角度θの余弦値と投射光学装置側の延出部分の長さ寸法の角度θの正弦値とを加えた値に応じて設定することが可能となる。
したがって、外装筺体の大きさが画像投射装置の大きさによって制限されることなく、外装筺体を小型化することが可能となり、プロジェクタの小型化を図れる。
【０００８】
本発明のプロジェクタでは、前記光源装置側の延出部分は、前記背面側の側端縁と前記外装筺体における平面視矩形形状の対角線とのなす角度の範囲内で前記背面側の側端縁に対して傾斜していることが好ましい。
本発明によれば、光源装置側の延出部分を、背面側の側端縁と外装筺体の平面視矩形形状の対角線とのなす角度の範囲内で背面側の側端縁に対して傾斜するように設定することで、プロジェクタの小型化を図りつつ、画像投射装置からの投射方向を不要に傾斜させることがない。
【０００９】
本発明のプロジェクタでは、前記画像投射装置における略Ｌ字形状のＬ字内側部分に配設され、前記外装筺体外部の空気を内部に導入して前記光変調装置に送風する光変調装置冷却部と、前記光源装置側の延出部分と前記背面側の側端縁との間で前記光源装置近傍に配設され、当該プロジェクタの各構成部材に電力を供給する電源装置と、前記光源装置側の延出部分と前記背面側の側端縁との間で前記光源装置から離間した位置に配設され、前記電源装置に向けて冷却空気を送風する電源装置冷却部と、前記光源装置と前記外装筺体における平面視矩形形状の前面側の側端縁との間に配設され、前記電源装置を介して前記光源装置近傍に向けて流通した空気を前記光源装置を介して吸入して前記外装筺体外部に排出する冷却空気排出部とを備えていることが好ましい。
【００１０】
本発明では、外装筺体内において、画像投射装置を上述した傾斜配置とすることで、画像投射装置の背面側、および画像投射装置のＬ字内側部分にそれぞれ所定の空間が形成される。そして、外装筺体内において、画像投射装置の背面側に形成される空間に電源装置および電源装置冷却部が配設され、画像投射装置のＬ字内側部分に形成される空間に光変調装置冷却部および冷却空気排出部が配設される。このことにより、画像投射装置以外の各構成部材（光変調装置冷却部、電源装置、電源装置冷却部、および冷却空気排出部）により外装筺体が大型化されることを回避でき、プロジェクタの小型化を阻害することがない。
また、外装筐体内において、上述したように、画像投射装置、光変調装置冷却部、電源装置、電源装置冷却部、および冷却空気排出部を配設することで、外装筺体内部の冷却流路が複雑化することがなく、外装筺体内の略全空間に亘って冷却流路を形成することができ、外装筺体内に空気が滞留することを回避し、プロジェクタを効果的に冷却できる。
さらに、冷却流路では、光変調装置〜電源装置〜光源装置の順に空気が流通することとなるので、温度の低い方から順に冷却でき、光変調装置、電源装置、および光源装置を効率的に冷却できる。
【００１１】
本発明のプロジェクタでは、当該プロジェクタ外部から前記画像情報を入力する入力信号端子と、前記入力信号端子と電気的に接続され前記光変調装置を駆動制御する制御基板とを備え、前記制御基板は、前記外装筺体内において、前記投射光学装置の配設位置に対して対角位置にある角隅部分から前記光変調装置の配設位置まで延出するように形成され、前記入力信号端子は、前記角隅部分に設けられていることが好ましい。
ところで、従来のプロジェクタでは、入力信号端子は、光源装置からの熱の影響を避けるため、外装筺体における背面側であって、光源装置と対向する位置を避ける位置に設けられている。同様に、従来のプロジェクタでは、制御基板は、光源装置からの熱の影響を避けるため、画像投射装置の上方側であって、光源装置と対向する位置を避けるように形成され、外装筺体の背面側に沿うように配設されている。このように、従来の構成では、光源装置の配置位置により、入力信号端子の配設位置や制御基板の形状および配設位置が制限される。また、入力信号端子の配設位置や制御基板の形状および配設位置の制限に加えて、制御基板において、入力信号端子から光変調装置の配設位置までの間の長さ寸法が短いため、例えば、入力信号端子から入力した信号を処理する各回路素子を入力信号端子から光変調装置の配設位置までの間で略直線的に配設することが難しく、制御基板の設計の自由度も制限されてしまう。
【００１２】
本発明では、外装筺体内において、画像投射装置を上述した傾斜配置とすることで、光源装置と外装筺体の背面側との間に所定の空間が形成される。このため、入力信号端子を、光源装置からの熱の影響を受けることなく、外装筺体における背面側であって、光源装置と対向する位置（投写光学装置の配設位置に対して対角位置にある角隅部分）に配設できる。また、制御基板も同様に、光源装置からの熱の影響を受けることなく、外装筺体における背面側であって、入力信号端子が配設される位置（投射光学装置の配設位置に対して対角位置にある角隅部分）から光変調装置の配設位置まで延出するように配設できる。このため、光源装置の配置位置により、入力信号端子の配設位置や制御基板の形状および配設位置が制限されることがない。また、上述したように入力信号端子および制御基板を配設することで、入力信号端子から光変調装置の配設位置までの間の長さ寸法を長く設定でき、例えば、入力信号端子から入力した信号を処理する各回路素子を入力信号端子から光変調装置の配設位置までの間で略直線的に配設することもでき、制御基板の設計の自由度も向上する。
【発明を実施するための最良の形態】
【００１３】
以下、本発明の実施の一形態を図面に基づいて説明する。
〔１．外観構成〕
図１ないし図３は、プロジェクタ１の外観を示す斜視図である。具体的に、図１は、プロジェクタ１を前面上方側から見た斜視図である。図２は、プロジェクタ１を背面上方側から見た斜視図である。図３は、プロジェクタ１を前面下方側から見た斜視図である。
なお、以下において、プロジェクタ１の投射方向側を前面側とし、該投射方向側と反対側を背面側として記載する。
プロジェクタ１は、光源から射出される光束を画像情報に応じて変調して光学像を形成し、形成した光学像をスクリーン（図示略）上に拡大投射するものである。このプロジェクタ１は、図１ないし図３に示すように、略直方体状の外装筺体２、およびこの外装筺体２内に収納配置される装置本体を備える。
【００１４】
外装筺体２は、合成樹脂製の筺体であり、プロジェクタ１の装置本体を収納する。この外装筺体２は、図１ないし図３に示すように、装置本体の上部部分を覆うアッパーケース２１と、装置本体の下部部分を覆うロアーケース２２とを備える。
アッパーケース２１は、図１ないし図３に示すように、外装筺体２の天面、側面の一部、背面の一部、および前面の一部をそれぞれ形成する天面部２１Ａ（図１、図２）、側面部２１Ｂ（図１、図３），２１Ｃ（図２）、背面部２１Ｄ（図２）、前面部２１Ｅ（図１、図３）を含んで構成される。
【００１５】
天面部２１Ａは、図１または図２に示すように、平面視略矩形形状を有し、対角位置（前面上方側から見て右前方位置および左後方位置）にある角隅部分が面取りされた形状を有する。
この天面部２１Ａにおいて、面取りされた各角隅部分のうち、前面側に位置する角隅部分近傍には、図１または図２に示すように、開口部２１Ａ１が形成されている。そして、この開口部２１Ａ１は、装置本体の後述する投射レンズを操作可能としスクリーン（図示略）上に投射された投影画像のフォーカス調整、およびズーム調整を実施するための各種回転つまみ４６Ａの一部を露出させる。
また、この天面部２１Ａにおいて、面取りされた各角隅部分のうち、背面側に位置する角隅部分近傍には、図１または図２に示すように、プロジェクタ１の起動・調整操作を実施する操作パネル２３が設けられている。操作パネル２３の操作ボタン２３１を適宜押下すると、操作ボタン２３１内部に配置される図示しない回路基板に実装されたタクトスイッチと接触し、所望の操作が可能となる。
なお、前述した操作パネル２３の回路基板は、装置本体の後述する制御基板と電気的に接続され、操作ボタン２３１の押下に伴う操作信号は、前記制御基板に出力される。
【００１６】
各側面部２１Ｂ，２１Ｃ、背面部２１Ｄ、および前面部２１Ｅは、天面部２１Ａにおける平面視矩形形状の各端縁から略垂下した部分である。より具体的に、背面部２１Ｄは、図２に示すように、天面部２１Ａにおける背面側に位置する面取りされた角隅部分に対応して、前面側に傾斜する傾斜面２１Ｄ１を有し、傾斜面２１Ｄ１が側面部２１Ｃと接続するように形成されている。また、前面部２１Ｅも同様に、図１または図３に示すように、天面部２１Ａにおける前面側に位置する面取りされた角隅部分に対応して、背面側に傾斜する傾斜面２１Ｅ１を有し、傾斜面２１Ｅ１が側面部２１Ｂと接続するように形成されている。
これらのうち、背面部２１Ｄにおいて、背面側から見て右側部分には、図２に示すように、内部側に窪む凹部２１Ｄ２が形成されている。そして、この凹部２１Ｄ２の底部分には、複数の孔（図示略）が形成され、これら複数の孔を介して、外部の電子機器からの画像信号、音声信号等を入力するための複数の入力信号端子２４が外部に露出している。そして、複数の入力信号端子２４は、装置本体の後述する制御基板と接続し、入力信号端子２４から入力される信号が前記制御基板にて処理される。
すなわち、本実施形態では、複数の入力信号端子２４は、プロジェクタ１において、背面から見て右側の角隅部分近傍に配設されている。
【００１７】
また、前面部２１Ｅにおいて、傾斜面２１Ｅ１には、図１または図３に示すように、下端縁から上方側にかけて平面視円弧状の切り欠き２１Ｅ２が形成されている。
さらに、前面部２１Ｅにおいて、前方側から見て左側には、図１または図３に示すように、鋸歯状の切り欠き２１Ｅ３が形成されている。
【００１８】
ロアーケース２２は、図１ないし図３に示すように、外装筺体２の底面、側面の一部、背面の一部、および前面の一部をそれぞれ形成する底面部２２Ａ（図３）、側面部２２Ｂ（図１、図３），２２Ｃ（図２）、背面部２２Ｄ（図２）、および前面部２２Ｅ（図１、図３）を含んで構成される。
底面部２２Ａは、天面部２１Ａと同様に、平面視矩形形状を有し、対角位置にある角隅部分が面取りされた形状を有する。
この底面部２２Ａにおいて、面取りされた各角隅部分のうち、前面側に位置する角隅部分近傍には、図３に示すように、底面部２２Ａに対して進退自在とする調整脚部２５Ａが設けられている。また、側面部２２Ｃ側および背面部２２Ｄ側には、図３に示すように、底面部２２Ａに対して固定された固定脚部２５Ｂが設けられている。そして、プロジェクタ１を机等に設置した際には、これら調整脚部２５Ａ、固定脚部２５Ｂの３点が机等の接地面に接地し、調整脚部２５Ａを進退させることでプロジェクタ１の投射位置を変更可能とする。
また、この底面部２２Ａにおいて、前面側の左右方向略中央部分には、図３に示すように、外部の冷却空気を導入するための吸気口２２Ａ１が形成されている。
【００１９】
各側面部２２Ｂ，２２Ｃ、背面部２２Ｄ、および前面部２２Ｅは、底面部２２Ａにおける平面視矩形形状の各端縁から上方に向けて立設した部分である。より具体的に、背面部２２Ｄは、図２に示すように、底面部２２Ａにおける背面側に位置する面取りされた角隅部分に対応して、前面側に傾斜する傾斜面２２Ｄ１を有し、傾斜面２２Ｄ１が側面部２２Ｃと接続するように形成されている。また、前面部２２Ｅも同様に、図１または図３に示すように、底面部２２Ａにおける前面側に位置する面取りされた角隅部分に対応して、背面側に傾斜する傾斜面２２Ｅ１を有し、傾斜面２２Ｅ１が側面部２２Ｂと接続するように形成されている。
これらのうち、背面部２２Ｄにおいて、傾斜面２２Ｄ１の側方には、図２に示すように、開口部２２Ｄ２が形成されている。そして、この開口部２２Ｄ２を介して内部のインレットコネクタ２６が露出し、外部の電力をプロジェクタ１の装置本体に供給可能としている。
【００２０】
また、前面部２２Ｅにおいて、傾斜面２２Ｅ１には、図１または図３に示すように、上端縁から下方側にかけて平面視円弧状の切り欠き２２Ｅ２が形成されている。そして、アッパーケース２１およびロアーケース２２を組み合わせた状態では、切り欠き２１Ｅ２，２２Ｅ２が接続し、平面視円形状の開口部２７が形成される。そして、この開口部２７を介して装置本体の後述する投射レンズから画像光が拡大投射される。
さらに、前面部２２Ｅにおいて、前方側から見て左側には、図１または図３に示すように、鋸歯状の切り欠き２２Ｅ３が形成されている。そして、アッパーケース２１およびロアーケース２２を組み合わせた状態では、切り欠き２１Ｅ３，２２Ｅ３が接続し、鉛直方向に延出する複数の開口が水平方向に並列した排気口２８が形成される。
【００２１】
〔２．内部構成〕
図４および図５は、プロジェクタ１の内部構成を示す図である。具体的に、図４は、図２の状態からアッパーケース２１を取り外した状態を示す斜視図である。図５は、図４の状態から制御基板を取り外した状態を示す斜視図である。
外装筺体２の内部には、図４または図５に示すように、プロジェクタ１の装置本体が収容されている。この装置本体は、図４または図５に示すように、画像投射装置としての光学ユニット４（図５）と、電源装置としての電源ユニット５（図５）と、冷却ユニット６（図５）と、制御基板７（図４）とを含んで構成されている。
【００２２】
〔３．光学ユニットの詳細な構成〕
図６は、光学ユニット４の光学系を模式的に示す平面図である。
光学ユニット４は、制御基板７による制御の下、画像情報に応じて画像光を形成し、該画像光を拡大投射する部分である。この光学ユニット４は、図６に示すように、光源装置４１と、均一照明光学系４２と、色分離光学系４３と、リレー光学系４４と、光学装置４５と、投射光学装置としての投射レンズ４６と、これら光学部品４２〜４６を所定位置に設置する光学部品用筐体４７とを備える。
【００２３】
光源装置４１は、制御基板７による制御の下、点灯して平行光を均一照明光学系４２に向けて射出する。この光源装置４１は、図６に示すように、放射光源としての光源ランプ４１１と、リフレクタ４１２と、平行化凹レンズ４１３と、これら各部材４１１〜４１３を内部に収納するランプハウジング４１４とを備える。そして、光源ランプ４１１から射出された放射状の光束は、リフレクタ４１２にて反射され、平行化凹レンズ４１３を介して平行光とされる。
ランプハウジング４１４は、図５に示すように、光源ランプ４１１、リフレクタ４１２、および平行化凹レンズ４１３を支持しこれら各部材４１１〜４１３を一体化するインナーハウジング４１４Ａと、ロアーケース２２の底面部分に取り付けられるとともに光学部品用筐体４７と接続しインナーハウジング４１４Ａにより各部材４１１〜４１３が一体化されたランプユニットを所定位置に着脱自在に支持するアウターハウジング４１４Ｂとで構成される。
【００２４】
均一照明光学系４２は、光源装置４１から射出された光束を、光学装置４５を構成する後述する液晶パネルの画像形成領域に略均一に照明するための光学系である。この均一照明光学系４２は、図６に示すように、第１レンズアレイ４２１と、第２レンズアレイ４２２と、偏光変換素子４２３と、重畳レンズ４２４とを備える。
第１レンズアレイ４２１は、光軸方向から見て略矩形状の輪郭を有する小レンズがマトリクス状に配列された構成を有している。各小レンズは、光源装置４１から射出される光束を複数の部分光束に分割している。
第２レンズアレイ４２２は、第１レンズアレイ４２１と略同様な構成を有しており、小レンズがマトリクス状に配列された構成を有している。この第２レンズアレイ４２２は、重畳レンズ４２４とともに、第１レンズアレイ４２１の各小レンズの像を光学装置４５の後述する液晶パネル上に結像させる機能を有している。
【００２５】
偏光変換素子４２３は、第２レンズアレイ４２２と重畳レンズ４２４との間に配置され、第２レンズアレイ４２２からの光を略１種類の偏光光に変換するものである。
具体的に、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００２６】
色分離光学系４３は、図６に示すように、２枚のダイクロイックミラー４３１，４３２と、反射ミラー４３３とを備え、ダイクロイックミラー４３１，４３２により均一照明光学系４２から射出された複数の部分光束を、赤、緑、青の３色の色光に分離する機能を有している。
リレー光学系４４は、図６に示すように、入射側レンズ４４１、リレーレンズ４４３、および反射ミラー４４２，４４４を備え、色分離光学系４３で分離された赤色光を光学装置４５の後述する赤色光用の液晶パネルまで導く機能を有している。
【００２７】
この際、色分離光学系４３のダイクロイックミラー４３１では、均一照明光学系４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。このフィールドレンズ４２５は、第２レンズアレイ４２２から射出された各部分光束をその中心軸（主光線）に対して平行な光束に変換する。他の緑色光用、赤色光用の液晶パネルの光束入射側に設けられたフィールドレンズ４２５も同様である。
【００２８】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学系４４を通り、さらにフィールドレンズ４２５を通って光学装置４５の後述する赤色光用の液晶パネルに達する。なお、赤色光にリレー光学系４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００２９】
光学装置４５は、図６に示すように、３枚の液晶パネル４５１（赤色光用の液晶パネルを４５１Ｒ、緑色光用の液晶パネルを４５１Ｇ、青色光用の液晶パネルを４５１Ｂとする）と、これら液晶パネル４５１の光束入射側および光束射出側にそれぞれ配置される入射側偏光板４５２および射出側偏光板４５３と、クロスダイクロイックプリズム４５４とを備える。
液晶パネル４５１は、具体的な図示は省略するが、一対の透明なガラス基板に電気光学物質である液晶が密封封入された構成を有し、制御基板７から出力される駆動信号に応じて、前記液晶の配向状態が制御され、入射側偏光板４５２から射出された偏光光束の偏光軸を変更する。
入射側偏光板４５２は、偏光変換素子４２３で偏光方向が略一方向に揃えられた各色光が入射され、入射された光束のうち、偏光変換素子４２３で揃えられた光束の偏光軸と略同一方向の偏光光のみ透過させ、その他の光束を吸収するものである。この入射側偏光板４５２は、例えば、サファイアガラスまたは水晶等の透光性基板上に偏光膜が貼付された構成を有している。
射出側偏光板４５３は、入射側偏光板４５２と略同様の構成であり、液晶パネル４５１から射出された光束のうち、入射側偏光板４５２における光束の透過軸と直交する偏光軸を有する光束のみ透過させ、その他の光束を吸収するものである。
そして、上述した液晶パネル４５１、入射側偏光板４５２、および射出側偏光板４５３にて光変調装置を構成し、該光変調装置にて光束を画像情報に応じて変調して光学像を形成する。
【００３０】
クロスダイクロイックプリズム４５４は、前記光変調装置から射出された色光毎に変調された光学像を合成して画像光（カラー画像）を形成する光学素子である。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され射出側偏光板４５３を介した色光を反射する。このようにして、各光変調装置にて変調された各色光が合成されてカラー画像が形成される。
【００３１】
投射レンズ４６は、筒状の鏡筒内に複数のレンズが収納された組レンズとして構成され、クロスダイクロイックプリズム４５４から射出されたカラー画像を拡大投射する。
光学部品用筐体４７は、図６に示すように、内部に所定の照明光軸Ａが設定され、上述した光学部品４２〜４６を照明光軸Ａに対する所定位置に配置する。この光学部品用筐体４７は、図５に示すように、光学部品４２〜４５を内部に収納する部品収納部材４７１と、部品収納部材４７１における開口部分を閉塞する蓋状部材４７２とで構成される。
【００３２】
部品収納部材４７１は、上方側端面に図示しない開口部を有する容器状に形成され、上述した光学部品４２１〜４２５，４３１〜４３３，４４１〜４４４，４５を内部に収納する部分である。
そして、この部品収納部材４７１は、一端側が光源装置４１のアウターハウジング４１４Ｂと接続し、光源装置４１から射出された光束を該一端側から導入する。また、この部品収納部材４７１は、他端側が投射レンズ４６と接続し、他端側に配設される光学装置４５から射出されるカラー画像が投射レンズ４６に導入される。
また、この部品収納部材４７１において、具体的な図示を省略するが、底面には、偏光変換素子４２３、および各光変調装置の配設位置に応じた位置にそれぞれ開口部が形成され、冷却ユニット６からの空気を前記各開口部を介して内部に導入可能に構成されている。
【００３３】
蓋状部材４７２は、図５に示すように、部品収納部材４７１の他端側に配設される光学装置４５の配設位置に対応した部分に切り欠き４７２Ａを有し、平面視Ｆ字形状を有する。そして、蓋状部材４７２は、部品収納部材４７１に接続した際には、部品収納部材４７１の上方側の開口部分において、光学装置４５の配設位置を除く開口部分を塞ぐ。
また、蓋状部材４７２には、図５に示すように、偏光変換素子４２３の配設位置に対応した部分に、開口部４７２Ｂが形成されている。
【００３４】
以上説明したように、光学ユニット４は、光源装置４１、均一照明光学系４２、色分離光学系４３、リレー光学系４４、光学装置４５、および投射レンズ４６が一端側から他端側に向って順次配置され、平面視Ｌ字形状を有するように構成されている。
図７は、外装筺体２に対する光学ユニット４の配置位置を示す平面図である。なお、図７では、説明の便宜上、外装筺体２内において、光学ユニット４以外の部材を省略している。
光学ユニット４は、図７に示すように、光源装置４１が外装筺体２における背面部（背面側の側端縁）２１Ｄ，２２Ｄから離間する方向に、平面視Ｌ字形状の光源装置４１側の延出部分４Ａが背面部２１Ｄ，２２Ｄに対して所定角度θ、傾斜して配設される。言い換えれば、光学ユニット４は、図７に示すように、投射レンズ４６が外装筺体２における側面部２１Ｂ，２２Ｂに近接する方向に、平面視Ｌ字形状の投射レンズ４６側の延出部分４Ｂが側面部２１Ｂ，２２Ｂに対して所定角度θ、傾斜するように配設される。
より具体的に、光学ユニット４は、図７に示すように、延出部分４Ａ，４Ｂの傾斜角度θは、背面部２１Ｄ，２２Ｄと外装筺体２の平面視矩形形状の対角線２Ａとのなす角度θ０の範囲内となるように設定されている。
【００３５】
〔４．電源ユニットの構成〕
電源ユニット５は、インレットコネクタ２６を介して外部から供給された電力を各構成部材に供給するものである。この電源ユニット５は、図５に示すように、光学ユニット４の後方側であって、光学ユニット４の光源装置４１側の延出部分４Ａ（図７）と外装筺体２の背面部２１Ｄ，２２Ｄとで囲まれる空間に配設される。この電源ユニット５は、図５に示すように、電源回路を備えた電源ブロック５１と、ランプ駆動ブロック５２とが積層配置された構成を有している。
電源ブロック５１は、インレットコネクタ２６を介して外部から供給された電力をランプ駆動ブロック５２および制御基板７等に供給する。この電源ブロック５１は、入力される交流を所定の電圧に変換するトランスや該トランスからの出力を所定の電圧の直流に変換する変換回路等が片面に実装された回路基板（図示略）と、この回路基板を覆う箱状部材５１１とを備える。
箱状部材５１１は、図５に示すように、略直方体形状を有し、光学ユニット４の光源装置４１側の延出部分４Ａ（図７）と略平行に延出する形状を有している。そして、この箱状部材５１１には、側面部２１Ｃ，２２Ｃから離間する側の端面に冷却ユニット６からの空気を内部に導入するための導入口５１１Ａ（図９参照）が形成され、光源装置４１と対向する端面に内部の空気を外部に排出するための排出口５１１Ｂ（図９参照）が形成されている。
【００３６】
ランプ駆動ブロック５２は、光源装置４１に安定した電圧で電力を供給するための変換回路等が片面に実装された回路基板（図示略）を備え、電源ブロック５１から入力した電流は、このランプ駆動ブロック５２によって整流、変換されて、所定の電圧の直流電流や交流矩形波電流となって光源装置４１に供給される。また、ランプ駆動ブロック５２の前記回路基板は、電源ブロック５１の箱状部材５１１（導入口５１１Ａ、排出口５１１Ｂを含む）と同様の、箱状部材５２１（導入口５２１Ａ、排出口５２１Ｂを含む）内部に収納されている。
【００３７】
〔５．冷却ユニットの構成〕
図８は、冷却ユニット６の構成を示す図である。
冷却ユニット６は、プロジェクタ１内部の構成部材を冷却するものである。この冷却ユニット６は、各光変調装置を主に冷却する光変調装置冷却部６１と、電源ユニット５を主に冷却する電源装置冷却部としての電源ユニット冷却部６２と、プロジェクタ１内部の空気を外部に排出するための冷却空気排出部６３とで構成される。
光変調装置冷却部６１は、図８に示すように、吸気側ダクト６１１と、第１シロッコファン６１２と、第１排気側ダクト６１３と、第２シロッコファン６１４と、第２排気側ダクト６１５とを備える。
吸気側ダクト６１１は、図８に示すように、導入口（図示略）が外装筺体２の吸気口２２Ａ１（図３）に対向し、排出口（図示略）が側面部２１Ｂ，２２Ｂ側に向くようにロアーケース２２の底面に立設される。そして、この吸気側ダクト６１１は、吸気口２２Ａ１を介して吸入される外部の冷却空気を前記導入口を介して内部に導入し、前記排出口から側面部２１Ｂ，２２Ｂ側に向けて排出する。
【００３８】
第１シロッコファン６１２は、図８に示すように、投射レンズ４６の側方に配設され（図５）、吸入口（図示略）が吸気側ダクト６１１の前記排出口に接続し、吐出口（図示略）から吐出される空気の方向がロアーケース２２の底面に沿いかつ背面部２１Ｄ，２２Ｄに向くようにロアーケース２２の底面に立設される。
第１排気側ダクト６１３は、図８に示すように、導入口（図示略）が第１シロッコファン６１２の吐出口（図示略）と接続し、ロアーケース２２の底面に沿って光学装置４５を構成するＢ色光側の光変調装置の配設位置の下方側を通ってＲ色光側の光変調装置の配設位置の下方側まで延出するように形成されている。そして、第１排気側ダクト６１３には、図８に示すように、Ｒ色光側の光変調装置、およびＢ色光側の光変調装置の各配設位置に対応する部分には、排出口６１３Ｒ，６１３Ｂが形成されている。第１シロッコファン６１２から第１排気側ダクト６１３に導入された空気は、各排出口６１３Ｒ，６１３Ｂを介して上方に向けて排出される。
【００３９】
第２シロッコファン６１４は、図８に示すように、吸気側ダクト６１１の側方に位置し、吸入口（図示略）が外装筺体２の吸気口２２Ａ１に対向し、吐出口（図示略）から吐出される空気の方向がロアーケース２２の底面に沿いかつ背面部２１Ｄ，２２Ｄに向くようにロアーケース２２の底面に立設される。
第２排気側ダクト６１５は、図８に示すように、導入口（図示略）が第２シロッコファン６１４の吐出口（図示略）と接続し、ロアーケース２２の底面に沿って延出し、延出方向先端部分が２つに分岐するように形成されている。そして、一方側が光学装置４５を構成するＧ色光側の光変調装置の配設位置の下方側まで延出し、他方側が偏光変換素子４２３の配設位置の下方側まで延出する。そして、第２排気側ダクト６１５には、図８に示すように、Ｇ色光側の光変調装置、および偏光変換素子４２３の各配設位置に対応する部分には、排出口６１５Ｇ，６１５Ｐが形成されている。第２シロッコファン６１４から第２排気側ダクト６１５に導入された空気は、各排出口６１５Ｇ，６１５Ｐを介して上方に向けて排出される。
【００４０】
図９は、電源ユニット冷却部６２の概略構成を示す分解斜視図である。
図１０は、電源ユニット冷却部６２および冷却空気排出部６３の概略構成を示す斜視図である。
電源ユニット冷却部６２は、図９または図１０に示すように、第３シロッコファン６２１と、第３排気側ダクト６２２とを備える。
第３シロッコファン６２１は、図８に示すように、光学ユニット４の光源装置４１側の延出部分４Ａ（図７）と外装筺体２の背面部２１Ｄ，２２Ｄとで囲まれる空間であって、電源ユニット５に対して側面部２１Ｂ，２２Ｂ側の側方に配設される。より具体的には、第３シロッコファン６２１は、図９に示すように、吸入口６２１Ａが光学ユニット４に対向し、吐出口６２１Ｂから吐出される空気方向がロアーケース２２の底面に沿いかつ電源ユニット５の導入口５１１Ａに向くようにロアーケース２２の底面に立設される。
第３排気側ダクト６２２は、図９に示すように、導入口６２２Ａが第３シロッコファン６２１の吐出口６２１Ｂと接続し、ロアーケース２２の底面に沿って延出し、延出方向先端部分が２つに分岐するように形成されている。そして、一方側が電源ユニット５の導入口５１１Ａ，５２１Ａに対向する位置まで延出し、他方側が光源装置４１のインナーハウジング４１４Ａに形成された導入口４１４Ａ１（図１０）に対向する位置まで延出する。そして、第３排気側ダクト６２２には、図示は省略するが、電源ユニット５の導入口５１１Ａ，５２１Ａに対向する位置、およびインナーハウジング４１４Ａの導入口４１４Ａ１に対向する位置にそれぞれ排出口が形成されている。第３シロッコファン６２１から第３排気側ダクト６２２に導入された空気は、前記排出口を介して導入口５１１Ａ，５２１Ａから電源ユニット５内部に導入されるとともに、導入口４１４Ａ１からインナーハウジング４１４Ａ内部に導入される。
【００４１】
冷却空気排出部６３は、図８または図１０に示すように、冷却空気排出ダクト６３１と、軸流ファン６３２とを備える。
冷却空気排出ダクト６３１は、図１０に示すように、光源装置４１を挟んで電源ユニット５に対向し、光源装置４１を構成するリフレクタ４１２の後方側、およびインナーハウジング４１４Ａの側方を囲む平面視略Ｌ字形状を有している。
この冷却空気排出ダクト６３１において、Ｌ字内側端面には、図１０に示すように、第１導入口６３１Ａと、第２導入口６３１Ｂとが形成されている。
第１導入口６３１Ａは、インナーハウジング４１４Ａに形成された排出口４１４Ａ２（図１０）に対向する位置に形成され、インナーハウジング４１４Ａの排出口４１４Ａ２から排出された空気を冷却空気排出ダクト６３１内部に導入する。
具体的に、インナーハウジング４１４Ａは、図１０に示すように、略筒状部材で構成され、筒状の一方の端部側にて光源装置４１のリフレクタ４１２の開口端を支持し、筒状の他方の端部側にて平行化凹レンズ４１３を支持する。このため、インナーハウジング４１４Ａは、リフレクタ４１２および平行化凹レンズ４１３にて筒状の各開口が閉塞され、内部に光源ランプ４１１が配設される空間が形成される。そして、インナーハウジング４１４Ａの対向する側面には、図１０に示すように、前記空間に空気を導入するための導入口４１４Ａ１と、前記空間の空気を外部に排出するための排出口４１４Ａ２とが形成されている。
【００４２】
また、冷却空気排出ダクト６３１のＬ字内側端面において、リフレクタ４１２の後方側は、図１０に示すように、段付形状を有するように形成され、該段差部６３１Ｃに第２導入口６３１Ｂが形成されている。すなわち、第２導入口６３１Ｂは、上方に向けて開口した形状を有している。そして、第２導入口６３１Ｂは、リフレクタ４１２の後方側近傍の空気を冷却空気排出ダクト６３１内部に導入する。
【００４３】
また、この冷却空気排出ダクト６３１において、Ｌ字外側端面には、外装筺体２の排気口２８（図１、図３）に対向する位置には、内部の空気を外部に排出するための排出口（図示略）が形成されている。
【００４４】
軸流ファン６３２は、吸入口（図示略）が冷却空気排出ダクト６３１の前記排出口と接続し、吐出口（図示略）が外装筺体２の排気口２８（図１、図３）に接続する。そして、軸流ファン６３２は、冷却空気排出ダクト６３１を介して空気を吸入し、排気口２８を介してプロジェクタ１外部に排出する。
【００４５】
図１１は、プロジェクタ１内部の冷却流路を示す図である。
以上説明した冷却ユニット６により、プロジェクタ１内部には、図１１に示すように、光変調装置冷却流路６Ａ、偏光変換素子冷却流路６Ｂ、電源ユニット冷却流路６Ｃ、光源装置冷却流路６Ｄが形成される。
光変調装置冷却流路６Ａは、第１シロッコファン６１２および第２シロッコファン６１４が駆動することにより形成され、図１１に示すように、吸気口２２Ａ１〜吸気側ダクト６１１〜第１シロッコファン６１２〜第１排気側ダクト６１３〜部品収納部材４７１の底面のＲ，Ｂ色光側の各光変調装置の配設位置に対応した各開口部（図示略）〜蓋状部材４７２の切り欠き４７２Ａを辿って光学ユニット４の上方側に流出する第１の冷却流路６Ａ１と、吸気口２２Ａ１〜第２シロッコファン６１４〜第２排気側ダクト６１５〜部品収納部材４７１の底面のＧ色光側の光変調装置の配設位置に対応した開口部（図示略）〜蓋状部材４７２の切り欠き４７２Ａを辿って光学ユニット４の上方側に流出する第２の冷却流路６Ａ２とで構成される。
そして、第１の冷却流路６Ａ１において、第１排気側ダクト６１３の各排出口６１３Ｒ，６１３Ｂを介して上方に向けて排出され、部品収納部材４７１の底面のＲ，Ｂ色光側の各光変調装置の配設位置に対応した各開口部から蓋状部材４７２の切り欠き４７２Ａに向けて下方から上方に向けて空気が流通する際に、Ｒ，Ｂ色光側の各光変調装置が冷却される。
また、第２の冷却流路６Ａ２において、第２排気側ダクト６１５の排出口６１５Ｇを介して上方に向けて排出され、部品収納部材４７１の底面のＧ色光側の光変調装置の配設位置に対応した開口部から蓋状部材４７２の切り欠き４７２Ａに向けて下方から上方に向けて空気が流通する際に、Ｇ色光側の光変調装置が冷却される。
【００４６】
偏光変換素子冷却流路６Ｂは、第２シロッコファン６１４が駆動することにより形成され、図１１に示すように、吸気口２２Ａ１〜第２シロッコファン６１４〜第２排気側ダクト６１５〜部品収納部材４７１の底面の偏光変換素子４２３の配設位置に対応した開口部（図示略）〜蓋状部材４７２の開口部４７２Ｂを辿って光学ユニット４の上方側に流出する冷却流路である。
そして、偏光変換素子冷却流路６Ｂにおいて、第２排気側ダクト６１５の排出口６１５Ｐを介して上方に向けて排出され、部品収納部材４７１の底面の偏光変換素子４２３の配設位置に対応した開口部から蓋状部材４７２の開口部４７２Ｂに向けて下方から上方に向けて空気が流通する際に、偏光変換素子４２３が冷却される。
【００４７】
電源ユニット冷却流路６Ｃは、第３シロッコファン６２１が駆動することにより形成され、図１１に示すように、第３シロッコファン６２１〜第３排気側ダクト６２２〜電源ユニット５（箱状部材５１１，５２１）を辿って光源装置４１側に流出する冷却流路である。
そして、電源ユニット冷却流路６Ｃにおいて、第３排気側ダクト６２２の排出口を介して電源ユニット５に向けて排出され、電源ユニット５の導入口５１１Ａ，５２１Ａから排出口５１１Ｂ，５２１Ｂに向けて箱状部材５１１，５２１内を空気が流通する際に、電源ユニット５の回路基板が冷却される。
【００４８】
光源装置冷却流路６Ｄは、第３シロッコファン６２１および軸流ファン６３２が駆動することにより形成され、図１１に示すように、第３シロッコファン６２１〜第３排気側ダクト６２２〜インナーハウジング４１４Ａ〜冷却空気排出ダクト６３１〜軸流ファン６３２〜排気口２８を辿ってプロジェクタ１外部に流出する冷却流路である。
そして、光源装置冷却流路６Ｄにおいて、第３排気側ダクト６２２の排出口を介して光源装置４１に向けて排出され、インナーハウジング４１４Ａの導入口４１４Ａ１から排出口４１４Ａ２に向けてインナーハウジング４１４Ａの前記空間内を空気が流通する際に、光源装置４１を構成する光源ランプ４１１が主に冷却される。
また、光源装置冷却流路６Ｄにおいて、光源装置４１のリフレクタ４１２の後方側の空気が冷却空気排出ダクト６３１の第２導入口６３１Ｂを介して冷却空気排出ダクト６３１に取り込まれることで、リフレクタ４１２が冷却される。
【００４９】
〔６．制御基板の構成〕
制御基板７は、ＣＰＵ（Central Processing Unit）等の演算処理装置が実装された回路基板として構成され、プロジェクタ１全体を制御する。例えば、制御基板７は、上述した操作パネル２３の回路基板から出力される操作信号を入力し、この操作信号に基づいてプロジェクタ１の各構成部材に適宜、制御指令を出力する。また、例えば、制御基板７は、上述した複数の入力信号端子２４を介して入力した信号を処理し、液晶パネル４５１Ｒ，４５１Ｇ，４５１Ｂを駆動制御する。そして、液晶パネル４５１Ｒ，４５１Ｇ，４５１Ｂは、光変調を実施し、各光変調装置にて光学像が形成される。
そして、上述した制御基板７は、図４に示すように、光源装置４１を避けるように平面視略Ｌ字形状を有し、光学ユニット４の上方であって、外装筺体２の背面部２１Ｄ，２２Ｄに沿うように配設される。
【００５０】
以上説明した本実施形態によれば、外装筺体２内において光学ユニット４を上述した傾斜配置とすることで、外装筺体２における背面部２１Ｄ，２２Ｄおよび前面部２１Ｅ，２２Ｅの長さ寸法（左右方向の長さ寸法）や、側面部２１Ｂ，２２Ｂ，２１Ｃ，２２Ｃの長さ寸法（前後方向の長さ寸法）を、光学ユニット４における投射レンズ４６側の延出部分４Ｂの長さ寸法や光源装置４１側の延出部分４Ａの長さ寸法ではなく、延出部分４Ｂや延出部分４Ａの傾斜角度θの正弦値、余弦値に応じて設定することができる。より具体的には、側面部２１Ｂ，２２Ｂ，２１Ｃ，２２Ｃの長さ寸法を、延出部分４Ｂの長さ寸法ではなく、延出部分４Ｂの長さ寸法の傾斜角度θの余弦値に応じて設定できる。また、背面部２１Ｄ，２２Ｄおよび前面部２１Ｅ，２２Ｅの長さ寸法を、延出部分４Ａの長さ寸法ではなく、延出部分４Ａの長さ寸法の傾斜角度θの余弦値と延出部分４Ｂの長さ寸法の傾斜角度θの正弦値とを加えた値に応じて設定できる。
したがって、外装筺体２の大きさが光学ユニット４の大きさによって制限されることなく、外装筺体２を小型化することが可能となり、プロジェクタ１の小型化を図れる。
ここで、傾斜角度θが背面部２１Ｄ，２２Ｄと対角線２Ａとのなす角度θ０の範囲内に設定されているので、プロジェクタ１の小型化を図りつつ、光学ユニット４からの投射方向を不要に傾斜させることがない。
【００５１】
また、外装筺体２内において、光学ユニット４を上述した傾斜配置とすることで、光学ユニット４の背面側、および光学ユニット４のＬ字内側部分にそれぞれ所定の空間が形成される。そして、外装筺体２内において、光学ユニット４の背面側に形成される空間に電源ユニット５および電源ユニット冷却部６２が配設され、光学ユニット４のＬ字内側部分に形成される空間に光変調装置冷却部６１および冷却空気排出部６３が配設される。このことにより、光学ユニット４以外の各構成部材（光変調装置冷却部６１、電源ユニット５、電源ユニット冷却部６２、および冷却空気排出部６３）により外装筺体２が大型化されることを回避でき、プロジェクタ１の小型化を阻害することがない。
【００５２】
さらに、外装筺体２内において、上述したように、光学ユニット４、光変調装置冷却部６１、電源ユニット５、電源ユニット冷却部６２、および冷却空気排出部６３を配設することで、外装筺体２内部の冷却流路６Ａ〜６Ｄが複雑化することなく、外装筺体２内の略全空間に亘って冷却流路６Ａ〜６Ｄを形成することができ、外装筺体２内に空気が滞留することを回避し、プロジェクタ１を効果的に冷却できる。
【００５３】
さらにまた、冷却流路６Ａ〜６Ｄでは、各光変調装置・偏光変換素子４２３〜電源ユニット５〜光源装置４１の順に空気が流通することとなるので、温度の低い方から順に冷却することができ、各光変調装置・偏光変換素子４２３、電源ユニット５、および光源装置４１を効率的に冷却できる。
ここで、各光変調装置および偏光変換素子４２３は、Ｒ，Ｂ色光側の各光変調装置、Ｇ色光側の光変調装置、および偏光変換素子４２３をそれぞれ冷却するための各冷却流路６Ａ１，６Ａ２，６Ｂが並列に設定されているので、各光変調装置および偏光変換素子４２３を効率的に冷却できる。
【００５４】
また、外装筺体２内において、光学ユニット４を上述した傾斜配置とすることで、光源装置４１と外装筺体２の背面部２１Ｄ，２２Ｄとの間に所定の空間が形成される。このため、複数の入力信号端子２４を、光源装置４１からの熱の影響を受けることなく、外装筺体２における背面部２１Ｄであって、光源装置４１と対向する位置（投射レンズ４６の配設位置に対して対角位置の角隅部分）に配設できる。また、制御基板７も同様に、光源装置４１からの熱の影響を受けることなく、光学ユニット４の上方であって、複数の入力信号端子２４が配設される位置（投射レンズ４６の配設位置に対して対角位置の角隅部分）から各光変調装置の配設位置まで延出するように配設できる。このため、光源装置４１の配置位置により、複数の入力信号端子２４の配設位置や制御基板７の形状および配設位置が制限されることがない。また、上述したように複数の入力信号端子２４および制御基板７を配設することで、複数の入力信号端子２４から各光変調装置の配設位置までの間の長さ寸法を長く設定でき、例えば、複数の入力信号端子２４から入力した信号を処理する各回路素子を複数の入力信号端子２４から各光変調装置の配設位置までの間で略直線的に配設することもでき、制御基板７の設計の自由度も向上する。
【００５５】
なお、本発明は前述の実施形態に限定されるものではなく、本発明の目的を達成できる範囲での変形、改良等は本発明に含まれるものである。
前記実施形態において、傾斜角度θは、角度θ０の範囲内に設定することが好ましいが、角度θ０の範囲外であっても構わない。
前記実施形態において、光学ユニット４の形状および外装筺体２の形状は、前記実施形態で説明した形状に限らない。例えば、光源装置４１側の延出部分４Ａの長さ寸法が投射レンズ４６側の延出部分４Ｂの長さ寸法よりも大きく形成されていたが、これに限らず、略Ｌ字形状であれば、延出部分４Ａの長さ寸法と延出部分４Ｂと長さ寸法とが略同一となるように形成してもよく、あるいは、延出部分４Ａの長さ寸法よりも延出部分４Ｂの長さ寸法が大きくなるように形成しても構わない。
同様に、外装筺体２の背面部２１Ｄ，２２Ｄおよび前面部２１Ｅ，２２Ｅの長さ寸法（左右方向の長さ寸法）が側面部２１Ｂ，２１Ｃ，２２Ｃ，２２Ｄの長さ寸法（前後方向の長さ寸法）よりも大きく形成されていたが、これに限らず、平面視矩形形状であれば、左右方向の長さ寸法と前後方向の長さ寸法とが略同一となるように形成してもよく、あるいは、左右方向の長さ寸法よりも前後方向の長さ寸法が大きくなるように形成しても構わない。
【００５６】
前記実施形態において、第３排気側ダクト６２２は、インナーハウジング４１４Ａの導入口４１４Ａ１に対向する位置に排出口が形成されている構成としたが、これに限らず、インナーハウジング４１４Ａの導入口４１４Ａ１に対向する排出口を廃止して、第３シロッコファン６２１から第３排気側ダクト６２２に導入された空気が、導入口５１１Ａ，５２１Ａから電源ユニット５内部のみに導入される構成とし、光源装置冷却流路６Ｄを軸流ファン６３２が駆動することにより形成され、インナーハウジング４１４Ａ〜冷却空気排出ダクト６３１〜軸流ファン６３２〜排気口２８を辿ってプロジェクタ１外部に流出するようにしてもよい。
また、前記実施形態において、電源ユニット冷却部６２は、第３シロッコファン６２１と、第３排気側ダクト６２２とを備えた構成を説明したが、これに限らず、第３シロッコファン６２１を用いずに第２排気側ダクト６１５と第３排気側ダクト６２２を接続し、第２シロッコファン６１４から第３排気側ダクト６２２へ空気を排出する構成としてもよい。上記構成とした場合は騒音を低減することができる。
【００５７】
前記実施形態では、光変調装置が３つ（Ｒ，Ｇ，Ｂ色光側）設けられた構成を説明したが、これに限らず、１つのみの光変調装置が設けられた構成や、２つのみの光変調装置が設けられた構成や、４つ以上の光変調装置が設けられた構成を採用してもよい。
前記実施形態では、光変調装置に透過型の液晶パネル４５１を採用していたが、これに限らず、反射型の液晶パネルを採用してもよく、あるいは、ディジタル・マイクロミラー・デバイス（テキサス・インスツルメント社の商標）を採用してもよい。ディジタル・マイクロミラー・デバイスを採用した場合には、入射側偏光板４５２および射出側偏光板４５３が不要となる。
【００５８】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００５９】
本発明のプロジェクタは、画像投射装置に制限されることなく小型化できるため、プレゼンテーションやホームシアターに用いられるプロジェクタとして有用である。
【図面の簡単な説明】
【００６０】
【図１】本実施形態におけるプロジェクタの外観を示す斜視図。
【図２】前記実施形態におけるプロジェクタの外観を示す斜視図。
【図３】前記実施形態におけるプロジェクタの外観を示す斜視図。
【図４】前記実施形態におけるプロジェクタの内部構成を示す図。
【図５】前記実施形態におけるプロジェクタの内部構成を示す図。
【図６】前記実施形態における光学ユニットの光学系を模式的に示す平面図。
【図７】前記実施形態における外装筺体に対する光学ユニットの配置位置を示す平面図。
【図８】前記実施形態における冷却ユニットの構成を示す図。
【図９】前記実施形態における電源ユニット冷却部の概略構成を示す分解斜視図。
【図１０】前記実施形態における電源ユニット冷却部および冷却空気排出部の概略構成を示す斜視図。
【図１１】前記実施形態におけるプロジェクタ内部の冷却流路を示す図。
【符号の説明】
【００６１】
１・・・プロジェクタ、２・・・外装筺体、２Ａ・・・対角線、４・・・光学ユニット（画像投射装置）、４Ａ・・・光源装置側の延出部分、４Ｂ・・・投射光学装置側の延出部分、５・・・電源ユニット（電源装置）、７・・・制御基板、２１Ｄ，２２Ｄ・・・背面部（背面側の側端縁）、２４・・・入力信号端子、４１・・・光源装置、４６・・・投射レンズ（投射光学装置）、６１・・・光変調装置冷却部、６２・・・電源ユニット冷却部（電源装置冷却部）、６３・・・冷却空気排出部。
【図１】
2007047661.tif 000003
【図２】
2007047661.tif 000004
【図３】
2007047661.tif 000005
【図４】
2007047661.tif 000006
【図５】
2007047661.tif 000007
【図６】
2007047661.tif 000008
【図７】
2007047661.tif 000009
【図８】
2007047661.tif 000010
【図９】
2007047661.tif 000011
【図１０】
2007047661.tif 000012
【図１１】
2007047661.tif 000013